(57)【要約】      （修正有）【課題】分割ヨーク部とティース部とを有する分割積層鉄心を互いに接続して成る、積層鉄心の生産性を向上することができ、かつ生産コストの低減をも達成し得る積層鉄心の製造方法および金型装置を提供する。【解決手段】薄板材料から回転子鉄心片を打抜き形成した後、分割鉄心片を中間領域を挟んで互いに連結させ、中間領域を挟んで隣接する分割鉄心片の連結部を剪断分離し、かつ中間領域を曲げ加工する切曲げ工程と、薄板材料において曲げ加工した中間領域を押し戻して薄板材料と面一に成形するプッシュバック工程と、薄板材料に所定数のスロットを打抜き形成することによりティース部を形成するスロット抜き工程と、所定数のティース部における歯先を打抜き形成する内径抜き工程と、分割鉄心片の外形とともに中間領域を打抜いて個々の分割鉄心片を分離形成し、該分割鉄心片を先に打抜き形成された下層の分割鉄心片に積層して結合するカシメ積層工程から成る。【選択図】図４
2005318764.tif 000002
【特許請求の範囲】
【請求項１】
所定枚数の分割鉄心片をカシメ積層して成り、分割ヨーク部とティース部とを有するとともに、前記分割ヨーク部の両端に連結部を有する分割積層鉄心を、所定個数、互いに無端状に連結することにより構成され、環形状のヨーク部と該ヨーク部の内方に突出する所定数のティース部とを備えて成る固定子鉄心を製造するための積層鉄心の製造方法であって、
薄板材料から回転子鉄心片を打抜き形成したのち、前記分割鉄心片を中間領域を挟んで互いに連結させた形態のヨーク部形成領域において、前記中間領域を挟んで隣接する前記分割鉄心片の前記連結部を剪断分離し、かつ前記中間領域を曲げ加工する切曲げ工程と、
前記薄板材料において曲げ加工した前記中間領域を押し戻して前記薄板材料と面一に成形するプッシュバック工程と、
前記薄板材料に所定数のスロットを打抜き形成することにより所定数のティース部を形成するスロット抜き工程と、
前記所定数のティース部における歯先を打抜き形成する内径抜き工程と、
前記分割鉄心片の外形とともに前記中間領域を打抜いて個々の分割鉄心片を分離形成するとともに、該分割鉄心片を先に打抜き形成された下層の分割鉄心片に積層してカシメ結合するカシメ積層工程と、
を含んで成ることを特徴とする積層鉄心の製造方法。
【請求項２】
所定枚数の分割鉄心片をカシメ積層して成り、分割ヨーク部とティース部とを有するとともに、前記分割ヨーク部の両端に連結部を有する分割積層鉄心を、所定個数、互いに無端状に連結することにより構成され、環形状のヨーク部と該ヨーク部の内方に突出する所定数のティース部とを備えて成る固定子鉄心を製造するための金型装置であって、
薄板材料から回転子鉄心片を打抜き形成したのち、前記分割鉄心片を中間領域を挟んで互いに連結させた形態のヨーク部形成領域において、前記中間領域を挟んで隣接する前記分割鉄心片の前記連結部を剪断分離し、かつ前記中間領域を曲げ加工する切曲げ工程を実施する切曲げステーションと、
前記薄板材料において曲げ加工した前記中間領域を押し戻して前記薄板材料と面一に成形するプッシュバック工程を実施するプッシュバックステーションと、
前記薄板材料に所定数のスロットを打抜き形成することにより所定数のティース部を形成するスロット抜き工程を実施するスロット抜きステーションと、
前記所定数のティース部における歯先を打抜き形成する内径抜き工程を実施する内径抜きステーションと、
前記分割鉄心片の外形とともに前記中間領域を打抜いて個々の分割鉄心片を分離形成するとともに、該分割鉄心片を先に打抜き形成された下層の分割鉄心片に積層してカシメ結合するカシメ積層工程を実施する外径抜きカシメ結合ステーションと、
を具備して成ることを特徴とする金型装置。
【発明の詳細な説明】
【技術分野】
【０００１】
本発明は、分割ヨーク部とティース部とを有する所定個数の分割積層鉄心を互いに接続して成り、環形状のヨーク部と該ヨーク部の内方に突出する所定数のティース部とを備えて成る固定子鉄心を製造するための積層鉄心の製造方法および金型装置に関するものである。
【背景技術】
【０００２】
図１２は、電動機の固定子を構成する従来の積層鉄心(固定子鉄心)Ａであり、この積層鉄心Ａは、所定枚数の鉄心片Ａａを積層してカシメ結合することによって製造され、環形状のヨーク部Ａｙと該ヨーク部Ａｙから内方に突出した複数のティース部Ａｔ、Ａｔ…とを有している。
【０００３】
このような周方向一体型の積層鉄心Ａは、図１３に示す如く積層鉄心(固定子)Ａを構成する鉄心片Ａａを、回転子鉄心(図示せず)を構成する鉄心片Ｒａと共に同一の帯状鋼板Ｗ上に材料取りし、同一の順送り金型装置(図示せず)で回転子鉄心と共に製造されることが通例である。
【０００４】
一方、上述した積層鉄心Ａは、ヨーク部Ａｙが環形状を呈していることと、隣り合うティース部Ａｔ同士の間隔が狭いことから、各ティース部Ａｔに対する巻線作業が困難なものとなっており、このような問題点を解決する策の１つとして、図１４に示す如き積層鉄心(固定子鉄心)Ｂが提供されている。
【０００５】
この積層鉄心Ｂは、分割ヨーク部Ｃｙおよびティース部Ｃｔを有するとともに、分割ヨーク部Ｃｙの両端に嵌合凸部Ｃｈと嵌合凹部Ｃｉとを設けた所定個数の分割積層鉄心Ｃを製造し、これら複数個の分割積層鉄心Ｃを互いに連結して組み立てることにより、環形状のヨーク部Ｂｙと複数のティース部Ｂｔ(Ｃｔ)とを備えた積層鉄心Ｂを構成するものである。
【０００６】
このような積層鉄心Ｂによれば、個々の分割積層鉄心Ｃにおけるティース部Ｃｔに巻線を施したのち、各分割積層鉄心Ｃ、Ｃ…を互いに組立てて積層鉄心Ｂを製造することで、各ティース部Ｃｔに対する巻線作業は極めて容易なものとなる。
【０００７】
ここで、出願人の知っている上述の如き先行技術は、公知・公用の技術であって文献公知発明に係わるものではなく、したがって記載すべき先行技術文献情報はない。
【発明の開示】
【発明が解決しようとする課題】
【０００８】
ところで、上述した如き構成の積層鉄心Ｂ、すなわち複数個の分割積層鉄心Ｃを連結して成る周方向分割型の積層鉄心Ｂを製造する場合、図１５(ａ)に示す如く、帯状鋼板Ｗ上に所定数の鉄心片Ｃａを互いに連結させた形態で、回転子鉄心(図示せず)を構成する鉄心片Ｒａと共に材料取りすることも可能である。
【０００９】
しかしながら、図１５(ｂ)に示す如く、隣接する鉄心片Ｃａの嵌合凸部Ｃｈと嵌合凹部Ｃｉとを、細いパンチ(図示せず)によりスリットＳを打抜いて形成した際、嵌合凸部Ｃｈと嵌合凹部Ｃｉとの間には隙間が生じるために相互の嵌合代を自在に設定することができず、分割積層鉄心Ｃ同士を連結した際にガタが生じることで全体のプロポーションが歪んでしまう不都合がある。
【００１０】
このため、上述した如き周方向分割型の積層鉄心Ｂは、図１６(ａ)に示す如く鉄心片Ｃａを帯状鋼板ＷＳ上に並べて材料取りし、専用の順送り金型装置(図示せず)を用いて製造しなければならず、積層鉄心Ｂの製造に関わる材料の歩留りが悪く、生産性の低下とともに製造コストの高騰をも招来する問題があった。
【００１１】
さらに、上述の如く鉄心片Ｃａを帯状鋼板ＷＳ上に並べて材料取りしているため、図１６(ｂ)に示す如く回転子鉄心(図示せず)を構成する鉄心片Ｒａは、別個の帯状鋼板ＷＲ上において材料取りされることとなり、上記回転子鉄心は別個の順送り金型装置(図示せず)を用いて製造せざるを得ないので、電動機を構成する固定子鉄心および回転子鉄心の製造コストが大幅に増大する不都合があった。
【００１２】
本発明は上記実状に鑑みて、積層鉄心の製造に伴う生産性を向上させることができ、併せて生産コストの低減をも達成し得る積層鉄心の製造方法および金型装置を提供することにある。
【課題を解決するための手段】
【００１３】
上記目的を達成するべく、本発明に関わる積層鉄心の製造方法は、所定枚数の分割鉄心片をカシメ積層して成り、分割ヨーク部とティース部とを有するとともに、分割ヨーク部の両端に連結部を有する分割積層鉄心を、所定個数、互いに無端状に連結することにより構成され、環形状のヨーク部と該ヨーク部の内方に突出する所定数のティース部とを備えて成る固定子鉄心を製造するための積層鉄心の製造方法であって、薄板材料から回転子鉄心片を打抜き形成したのち、分割鉄心片を中間領域を挟んで互いに連結させた形態のヨーク部形成領域において、中間領域を挟んで隣接する分割鉄心片の連結部を剪断分離し、かつ中間領域を曲げ加工する切曲げ工程と、薄板材料において曲げ加工した中間領域を押し戻して薄板材料と面一に成形するプッシュバック工程と、薄板材料に所定数のスロットを打抜き形成することにより所定数のティース部を形成するスロット抜き工程と、所定数のティース部における歯先を打抜き形成する内径抜き工程と、分割鉄心片の外形とともに中間領域を打抜いて個々の分割鉄心片を分離形成するとともに、該分割鉄心片を先に打抜き形成された下層の分割鉄心片に積層してカシメ結合するカシメ積層工程とを含んでいる。
【００１４】
また、上記目的を達成するべく、本発明に関わる金型装置は、所定枚数の分割鉄心片をカシメ積層して成り、分割ヨーク部とティース部とを有するとともに、分割ヨーク部の両端に連結部を有する分割積層鉄心を、所定個数、互いに無端状に連結することにより構成され、環形状のヨーク部と該ヨーク部の内方に突出する所定数のティース部とを備えて成る固定子鉄心を製造するための金型装置であって、薄板材料から回転子鉄心片を打抜き形成したのち、分割鉄心片を中間領域を挟んで互いに連結させた形態のヨーク部形成領域において、中間領域を挟んで隣接する分割鉄心片の連結部を剪断分離し、かつ中間領域を曲げ加工する切曲げ工程を実施する切曲げステーションと、薄板材料において曲げ加工した中間領域を押し戻して薄板材料と面一に成形するプッシュバック工程を実施するプッシュバックステーションと、薄板材料に所定数のスロットを打抜き形成することにより所定数のティース部を形成するスロット抜き工程を実施するスロット抜きステーションと、所定数のティース部における歯先を打抜き形成する内径抜き工程を実施する内径抜きステーションと、分割鉄心片の外形とともに中間領域を打抜いて個々の分割鉄心片を分離形成するとともに、該分割鉄心片を先に打抜き形成された下層の分割鉄心片に積層してカシメ結合するカシメ積層工程を実施する外径抜きカシメ結合ステーションとを具備している。
【発明の効果】
【００１５】
本発明に関わる積層鉄心の製造方法および金型装置においては、中間領域を挟んで隣接する分割鉄心片の連結部を剪断分離するとともに中間領域を曲げ加工したのち、この曲げ加工した中間領域を押し戻して薄板材料と面一に成形することで、中間領域を挟んで隣接する分割鉄心片同士が分離しているにも関わらず、恰も周方向一体型の積層鉄心を製造する場合と同様にして、周方向分割型の積層鉄心を製造することが可能となる。
【００１６】
このように、周方向一体型の積層鉄心と同様に製造し得ることから、積層鉄心(固定子鉄心)を構成する鉄心片を、回転子鉄心を構成する鉄心片と共に同一の帯状鋼板Ｗ上に材料取りし、同一の順送り金型装置において回転子鉄心と共に積層鉄心(固定子鉄心)を製造することが可能となる。
【００１７】
かくして、本発明に関わる積層鉄心の製造方法および金型装置によれば、周方向分割型の積層鉄心の製造に伴う生産性を向上させ得るとともに、生産に関わるコストの低減をも達成することが可能となる。
【発明を実施するための最良の形態】
【００１８】
以下、実施例を示す図面に基づいて、本発明を詳細に説明する。  
図１および図２は、本発明に関わる積層鉄心の製造方法に基づき、本発明に関わる金型装置によって製造された、電動機を構成する積層鉄心(固定子鉄心)の一実施例を示しており、この積層鉄心１は、環形状を呈するヨーク部２と、該ヨーク部２の内方に突出する所定数のティース部３、３…とを備えている。
【００１９】
また、上記積層鉄心１は、所定個数の分割積層鉄心１０、１０…を、互いに無端状に連結することによって構成されており、個々の分割積層鉄心１０は、積層鉄心１におけるヨーク部２の一部分を構成する分割ヨーク部１０Ｙと、積層鉄心１における複数のティース部３、３…の１つを構成するティース部１０Ｔとを有している。
【００２０】
上記分割積層鉄心１０は、所定枚数の分割鉄心片１１を互いにカシメ積層することによって構成されており、また上記分割鉄心片１１は、分割ヨーク部１１Ｙとティース部１１Ｔとを有し、上記分割ヨーク部１１Ｙの両端部には、それぞれ連結部としての嵌合凸部１１Ａと嵌合凹部１１Ｂとが形成されている。
【００２１】
詳しくは、上記分割ヨーク部１１Ｙにおける一方の端部(反半時計回り方向側の端部)に、中央域において周方向へ突出する嵌合凸部(連結部)１１Ａが形成されており、他方の端部(時計回り方向側の端部)に、中央域において周方向へ陥没する嵌合凹部(連結部)１１Ｂが形成されている。
【００２２】
これにより、上述した如き形態の分割鉄心片１１をカシメ積層して成る分割積層鉄心１０においては、その分割ヨーク部１０Ｙにおける一方端と他方端とに、分割積層鉄心１０の高さ方向に延びる凸条から成る嵌合凸部(連結部)１０Ａと、凹溝から成る嵌合凹部１０Ｂ(連結部)とが各々画成されている。
【００２３】
積層鉄心１を構成する所定個数の分割積層鉄心１０、１０…は、互いに隣接する一方の分割積層鉄心１０における嵌合凸部１０Ａと、他方の分割積層鉄心１０における嵌合凹部１０Ｂとを相互に組み付けることで無端状に連結され、各分割積層鉄心１０、１０…の分割ヨーク部１０Ｙ、１０Ｙ…によって環形状のヨーク部２を形成している。
【００２４】
以下では、上述した構成の積層鉄心１を製造する方法について説明する。  
図３は、本発明に関わる積層鉄心の製造方法を実施する際の、帯状鋼板(薄板材料)Ｗに対する材料取りの一実施例を示しており、帯状鋼板Ｗ上には所定個数の分割鉄心片１１、１１…が、後述する中間領域１２、１２…を挟んで互いに連結されることによって環状を為す形態で材料取りされている。
【００２５】
また、帯状鋼板Ｗ上には、上述の如く中間領域１２を挟んで環状に組み付けられた所定個数の分割鉄心片１１、１１…の中央域に、回転子鉄心(図示せず)を構成する回転子鉄心片２０が材料取りされている。すなわち、周方向一体型の積層鉄心を製造する際の材料取り(図１１参照)と同じく、回転子鉄心を構成する鉄心片と、固定子鉄心を構成する鉄心片とが、同一の帯状鋼板Ｗ上において材料取りされている。
【００２６】
一方、図４〜図６は、本発明に関わる積層鉄心の製造方法に基づいて、本発明に関わる順送り金型装置(金型装置)により加工された帯状鋼板(薄板材料)Ｗの平面図であり、積層鉄心１を製造するための順送り金型装置は、切曲げステーションＳ１、プッシュバックステーションＳ２、スロット抜きステーションＳ３、内径抜きステーションＳ４、第１カシメ部形成ステーションＳ５、第２カシメ部形成ステーションＳ６、アイドルステーションＳ７、および外径抜きカシメ結合ステーションＳ８を備えている。
【００２７】
ここで、上記順送り金型装置においては、上述した各ステーションＳ１〜Ｓ８に先んじて、回転子鉄心片２０を順次形成して回転子鉄心(図示せず)を製造するための加工ステーションを備えており、もって、周方向一体型の積層鉄心を製造する場合と同じく、共通する一台の順送り金型装置によって回転子鉄心と固定子鉄心とが製造されることとなる。
【００２８】
上述した順送り金型装置による積層鉄心１の製造工程は、先ず、図示していない先行する加工ステーションにおいて、回転子鉄心片２０を外径抜き(カシメ積層)して丸穴状の開口Ｏを形成したのち、切曲げステーションＳ１において、帯状鋼板(薄板材料)Ｗ上のヨーク部形成領域、すなわち各分割鉄心片１１の分割ヨーク部１１Ｔ、１１Ｔ…が環状を成して材料取りされている部位において、中間領域１２を挟んで隣接する分割鉄心片１１同士の連結部１１Ａと連結部１１Ｂとを上記中間領域１２から剪断分離するとともに、上記中間領域１２を帯状鋼板Ｗからセットダウンする形態で曲げ加工する(切曲げ工程)。
【００２９】
ここで、中間領域１２を挟んだ一方の分割鉄心片１１における嵌合凸部１１Ａと上記中間領域１２とは、図７に示す如く、嵌合凸部１１Ａの外形線に沿って延び、かつ帯状鋼板Ｗ上におけるヨーク部形成領域の径外域および径内域にまで達するスリットラインＬ１上において剪断分離され、また、他方の分割鉄心片１１における嵌合凹部１１Ｂと上記中間領域１２とは、嵌合凹部１１Ｂの外形線に沿って延び、かつ帯状鋼板Ｗ上におけるヨーク部形成領域の径外域および径内域にまで達するスリットラインＬ２上において剪断分離される。
【００３０】
また、図８(ａ)、(ｂ)に示す如く、切曲げステーションＳ１においては、パンチＰとダイＤとの協働作用により、帯状鋼板Ｗが上記スリットラインＬ１、Ｌ２に沿って剪断分離されるとともに、上記パンチＰの下降により中間領域１２が下方に向けて曲げ成形される。すなわち、切曲げステーションＳ１においては、帯状鋼板Ｗの剪断と曲げ成形とを同時に行う、いわゆるスリットフォームが実施されることとなる。
【００３１】
なお、切曲げステーションＳ１のダイＤには、中間領域１２の曲げ成形をサポートするため、バネＶによって上方へ付勢されるプッシュバックスライダＱが設けられている。
【００３２】
また、上記スリットラインＬ１およびスリットラインＬ２の形状は、分割鉄心片１１における嵌合凸部１１Ａを含んだ端部形状、および分割鉄心片１１における嵌合凹部１１Ｂを含んだ端部形状を、それぞれ所望する形状とし得る形態であれば、実施例に限定されることなく適宜に設定し得ることは言うまでもない。
【００３３】
上述した如く、切曲げステーションＳ１において、中間領域１２と嵌合凸部１１Ａおよび嵌合凹部１１Ｂとを剪断分離し、かつ上記中間領域１２を曲げ加工したのち、プッシュバックステーションＳ２において、曲げ加工された中間領域１２を押し戻して帯状鋼板Ｗと面一に成形する(プッシュバック工程)。
【００３４】
すなわち、図９(ａ)、(ｂ)、(ｃ)に示す如く、帯状鋼板ＷをダイＤとストリッパプレートＳＰとで挟み付け、曲げ加工された中間領域１２をストリッパプレートＳＰの下面で面打ちすることにより、上記中間領域１２を帯状鋼板Ｗと面一に成るよう押し戻す。
【００３５】
上述した如く、プッシュバックステーションＳ２において、曲げ加工された中間領域１２を帯状鋼板Ｗと面一に成形したのち、スロット抜きステーションＳ３において、開口Ｏの周囲に所定数のスロットＳ、Ｓ…を打抜くことにより、開口Ｏを中心として所定数のティース部１１Ｔ、１１Ｔ…を形成する(スロット抜き工程)。
【００３６】
このとき、スロットＳ、Ｓ…を打抜き形成することにより、中間領域１２、１２…における、ヨーク部形成領域より径内側に占位していた部位が除去されることとなる。
【００３７】
上述した如く、スロット抜きステーションＳ３において、ティース部１１Ｔ、１１Ｔ…を形成したのち、内径抜きステーションＳ４において、各々のティース部１１Ｔにおける歯先１１ｔを打抜き形成する(内径抜き工程)。
【００３８】
次いで、第１カシメ部形成ステーションＳ５および第２カシメ部形成ステーションＳ６において、所定箇所にカシメ部１１Ｃ、１１Ｃ…を形成する。  
すなわち、第１カシメ部形成ステーションＳ５においては、１個の積層鉄心１を構成する最下層の分割鉄心片１１に対してのみ、カシメ部１１Ｃの突起部を除去するべくカットし、第２カシメ部形成ステーションＳ６においては、最下層以外の分割鉄心片１１に対してカシメ部１１Ｃの突起部を所定形状にベンド(曲げ加工)する。
【００３９】
次いで、アイドルステーションＳ７を通過した外径抜きカシメ結合ステーションＳ８において、中間領域１２、１２…における外径とともに、各分割鉄心片１１における分割ヨーク部１１Ｙの外径を打ち抜き、個々の分割鉄心片１１、１１…を所定形状に形成するとともに、中間領域１２を挟んで隣接する分割鉄心片１１同士の分離を可能とする。
【００４０】
また、外径抜きカシメ結合ステーションＳ８においては、所定の形状に形成された各分割鉄心片１１、１１…を、先に形成された図示していない分割鉄心片１１、１１…に積層するとともに、各々のカシメ部１１Ｃ、１１Ｃ…を介して互いにカシメ結合する(カシメ積層工程)。
【００４１】
すなわち、外径抜きカシメ結合ステーションＳ８においては、個々の分割鉄心片１１、１１…を打抜き形成するとともに、各分割鉄心片１１を所定の枚数だけ積層してカシメ結合することで、所定数の分割積鉄心１０、１０…が製造されるとともに、図１０に示す如く、帯状鋼板Ｗから中間領域１２の主要部を打ち抜いて成る中間片１２ａが積層された中間体１２Ａ、１２Ａ…を挟んで、所定数の分割積鉄心１０、１０…が無端状に連結されて成る環状中間製品１′が製造されることとなる。
【００４２】
ここで、上述した如く帯状鋼板Ｗ上には、所定個数の分割鉄心片１１、１１…と中間領域１２、１２…とが、互いに連結されることにより環状を為して材料取りされているため、上記外径抜きカシメ結合ステーションＳ８で打抜き形成された分割鉄心片１１、１１…は、中間片１２ａとともに金型内のスクイズリング(図示せず)において保持され、該スクイズリングによって外周からの圧搾力が付与されることにより、順次に打抜き形成された分割鉄心片１１を金型(スクイズリング)内において自動的にカシメ積層することができる。
【００４３】
上記環状中間製品１′を順送り金型装置から取り出したのち、図１１に示す如く、分割積層鉄心１０、１０…と中間体１２Ａ、１２Ａ…とを分離し、これら中間体１２Ａ、１２Ａ…をスクラップとして廃棄する一方、所定個数の分割積層鉄心１０、１０…を、互いの嵌合凸部１０Ａと嵌合凹部１０Ｂとを組み付けて無端状に連結することにより、図１に示す如き所期の形状を呈する積層鉄心１が完成することとなる。
【００４４】
上述した如く、本発明に関わる積層鉄心の製造方法においては、中間領域１２を挟んで隣接する分割鉄心片１１の嵌合凸部１１Ａおよび嵌合凹部１１Ｂを、上記中間領域１２から剪断分離するとともに、上記中間領域を曲げ加工したのち、この曲げ加工した中間領域１２を押し戻して帯状鋼板Ｗと面一に成形することで、中間領域１２を挟んで隣接する分割鉄心片１１同士が分離しているにも関わらず、恰も周方向一体型の積層鉄心を製造する場合と同様にして、周方向分割型の積層鉄心１を製造することが可能となる。
【００４５】
このように、周方向分割型の積層鉄心１を、周方向一体型の積層鉄心と同様に製造し得ることから、積層鉄心１の分割積層鉄心１０を構成する所定数の分割鉄心片１１を、図３に示す如く環状に連結させた形態で材料取りすることが可能となり、もって分割鉄心片を帯状鋼板上に並べて材料取りしていた従来の製造方法(図１３参照)に比べ、積層鉄心の製造に関わる材料の歩留りが格段に向上し、生産性の向上とともに製造コストの低減をも達成することができる。
【００４６】
また、周方向分割型の積層鉄心１を、周方向一体型の積層鉄心と同様に製造し得ることから、積層鉄心１の分割積層鉄心１０を構成する所定数の分割鉄心片１１を、図３に示す如く回転子鉄心片２０と共に同一の帯状鋼板Ｗ上に材料取りすることが可能となり、これによって同一の順送り金型装置を用いて回転子鉄心と共に積層鉄心１を製造することができ、もって積層鉄心１の生産に関わるコスト、延いては固定子鉄心および回転子鉄心を含めた電動機全体の生産コストを大幅に削減することが可能となる。
【００４７】
ところで、上記積層鉄心１を用いて成る電動機の固定子は、分離した個々の分割積層鉄心１０におけるティース部１０Ｔに巻線を施したのち、互いの嵌合凸部１０Ａと嵌合凹部１０Ｂとを組み付けて、所定個数の分割積層鉄心１０、１０…を無端状に連結することによって完成することとなる。
【００４８】
ここで、分割積層鉄心１０の嵌合凸部１０Ａおよび嵌合凹部１０Ｂを構成している、分割鉄心片１１の嵌合凸部１１Ａおよび嵌合凹部１１Ｂは、上述の如く隣接する分割鉄心片１１の間に中間領域１２を挟んで材料取りしたことで、それぞれ上記中間領域１２に対して臨むこととなるため、この中間領域１２を加工代とすることによって形状を自由に設定できる。
【００４９】
かくして、本発明に関わる積層鉄心の製造方法においては、分割鉄心片１１の嵌合凸部１１Ａおよび嵌合凹部１１Ｂの形状を、分割積層鉄心１０同士を組み付けた際にガタの生じることのない、所望の嵌合代が設定された所期の形状に設定することにより、所定個数の分割積層鉄心１０、１０…を組み付けて成る積層鉄心１の形状精度が極めて良好なものとなる。
【００５０】
なお、上述した実施例においては、分割積層鉄心１０における分割ヨーク部１０Ｙの両端に設けられた連結部(分割鉄心片１１における分割ヨーク部１１Ｙの両端に設けられた連結部)を、それぞれ嵌合凸部および嵌合凹部によって構成しているが、上記連結部の形状は実施例に限定されるものではなく、積層鉄心における仕様等の諸条件に基づいて適宜に設定し得ることは言うまでもない。
【００５１】
また、上述した実施例では、切曲げ工程およびプッシュバック工程を、別個の切曲げステーションＳ１およびプッシュバックステーションＳ２で実施しているが、切曲げステーションＳ１のプッシュバックスライダＱによって、曲げ加工した部位を完全に押し戻すことができる場合には、プッシュバックステーションＳ２を省略し、切曲げステーションＳ１において切曲げ工程とプッシュバック工程とを実施することも可能である。
【００５２】
また、第１カシメ部形成ステーションＳ５、および第２カシメ部形成ステーションＳ６において、帯状鋼板Ｗ上の中間領域にもカシメ部を形成し、外径抜きカシメ結合ステーションＳ８において、中間体１２Ａを構成する中間片１２ａをカシメ積層して一体化することも可能であり、かくすることにより環状中間製品１′を取り扱う際に中間片１２ａ、１２ａ…がバラバラにならず、もって良好な作業性を得ることができる。
【００５３】
また、上述した実施例では、順送り金型装置の外径抜きカシメ結合ステーションＳ８において、各々の分割鉄心片１１、１１…をストレートにカシメ積層して分割積層鉄心１０、１０…を製造しているが、各々の分割鉄心片１１、１１…に所定のスキュー角を付与してカシメ積層することも可能であり、さらには板厚偏差の相殺を目的とした分割鉄心片１１、１１…の転積を単独、あるいはスキューと組み合わせて実施し得ることは言うまでもない。
【図面の簡単な説明】
【００５４】
【図１】本発明に関わる製造方法および金型装置によって製造される積層鉄心の一実施例を示す全体平面図。
【図２】(ａ)および(ｂ)は、図１に示した積層鉄心を構成する分割積層鉄心の平面図および側面図。
【図３】図１に示した積層鉄心を製造する際の回転子鉄心片および固定子鉄心片の材料取りを示す帯状鋼板の要部平面図。
【図４】本発明に関わる積層鉄心の製造方法における順送り金型装置の各ステーションでの加工工程を示した帯状鋼板の平面図。
【図５】本発明に関わる積層鉄心の製造方法における順送り金型装置の各ステーションでの加工工程を示した帯状鋼板の平面図。
【図６】本発明に関わる積層鉄心の製造方法における順送り金型装置の各ステーションでの加工工程を示した帯状鋼板の平面図。
【図７】(ａ)は製造途中の１工程における帯状鋼板の要部平面図、(ｂ)は(ａ)中のｂ−ｂ線断面図。
【図８】(ａ)および(ｂ)は、製造途中の１工程における帯状鋼板の加工態様を示す概念図。
【図９】(ａ)、(ｂ)および(ｃ)は、製造途中の１工程における帯状鋼板の加工態様を示す概念図。
【図１０】製造途中の１工程における分割積層鉄心を示す平面図。
【図１１】製造途中の１工程における分割積層鉄心を示す平面図。
【図１２】従来の積層鉄心を示す外観図。
【図１３】図１２に示した積層鉄心を製造する際の帯状鋼板の平面図。
【図１４】従来の他の積層鉄心を示す外観図。
【図１５】(ａ)は図１４に示した積層鉄心を製造する際の帯状鋼板の平面図、(ｂ)は製造途中の１工程における帯状鋼板の要部平面図。
【図１６】(ａ)および(ｂ)は、図１４に示した積層鉄心を製造する際の帯状鋼板の平面図。
【符号の説明】
【００５５】
１…積層鉄心、
２…ヨーク部、
３…ティース部、
１０…分割積層鉄心、
１０Ｙ…分割ヨーク部、
１０Ｔ…ティース部、
１０Ａ…嵌合凸部(連結部)、
１０Ｂ…嵌合凹部(連結部)、
１１…分割鉄心片、
１１Ｙ…分割ヨーク部、
１１Ｔ…ティース部、
１１Ａ…嵌合凸部(連結部)、
１１Ｂ…嵌合凹部(連結部)、
２０…回転子鉄心片、
Ｓ１…切曲げステーション、
Ｓ２…プッシュバックステーション、
Ｓ３…スロット抜きステーション、
Ｓ４…内径抜きステーション、
Ｓ８…外径抜きカシメ結合ステーション、
Ｗ…帯状鋼板(薄板材料)。
【図１】
2005318764.tif 000003
【図２】
2005318764.tif 000004
【図３】
2005318764.tif 000005
【図４】
2005318764.tif 000006
【図５】
2005318764.tif 000007
【図６】
2005318764.tif 000008
【図７】
2005318764.tif 000009
【図８】
2005318764.tif 000010
【図９】
2005318764.tif 000011
【図１０】
2005318764.tif 000012
【図１１】
2005318764.tif 000013
【図１２】
2005318764.tif 000014
【図１３】
2005318764.tif 000015
【図１４】
2005318764.tif 000016
【図１５】
2005318764.tif 000017
【図１６】
2005318764.tif 000018